(57)【要約】【課題】  清掃が確実、簡単にできる電気的接触部の清掃具を提供する。【解決手段】  パッケージ４と同形同大の細長い疑似パッケージ１６を構成し、この疑似パッケージ１６の挿入側接続端子９に相当する先端箇所に受け側接続端子９に挿入する清掃部材１７を設けると共に、この疑似パッケージ１６に、ケージ３の中腹部よりケージ内方に突き出した板バネ状のラッチ部材１０に係合するラッチ受け部１１と、ラッチ部材１０を押し広げることによりラッチ受け部１１から脱出させるラッチ解除用部材１２と、このラッチ解除用部材１２を操作するためにこの疑似パッケージから露出した取っ手１３とをこの疑似パッケージ１６に設けた。【選択図】  図１
2005302511.tif 000002
【特許請求の範囲】
【請求項１】
パッケージが挿入されるケージの奥に配置された前記パッケージの接続端子（挿入側）を接続する接続端子（受け側）を清掃する清掃具であって、前記パッケージと同形同大の細長い疑似パッケージを構成し、この疑似パッケージの前記挿入側接続端子に相当する先端箇所に前記受け側接続端子に挿入する清掃部材を設けたことを特徴とするパッケージ接続用受け側接続端子の清掃具。
【請求項２】
前記疑似パッケージに、前記ケージの中腹部よりケージ内方に突き出した板バネ状のラッチ部材に係合するラッチ受け部と、前記ラッチ部材を押し広げることによりラッチ受け部から脱出させるラッチ解除用部材と、このラッチ解除用部材を操作するためにこの疑似パッケージから露出した取っ手とを設けたことを特徴とする請求項１又は２記載のパッケージ接続用受け側接続端子の清掃具。
【請求項３】
前記疑似パッケージを金属等の導電性部材で構成したことを特徴とする請求項１記載のパッケージ接続用受け側接続端子の清掃具。
【請求項４】
前記清掃部材を前記疑似パッケージに対して該疑似パッケージの挿入方向又は該挿入方向に直角な方向に可動な板状部材に取り付けると共に、この板状部材を前記疑似パッケージの外まで延出し、この板状部材に前記清掃部材を前記受け側接続端子内で移動させるための操作用部材を設けたことを特徴とする請求項１〜３いずれか記載のパッケージ接続用受け側接続端子の清掃具。
【請求項５】
前記清掃部材の周囲を覆う筒型形状の囲み部材を前記疑似パッケージ内まで移動可能に設け、この囲み部材が前記受け側接続端子の周囲に干渉して前記疑似パッケージ内に移動すると共に、この囲み部材を前記疑似パッケージの外に押し出すバネ部材を設け、このバネ部材が前記囲み部材を前記清掃部材の周囲を覆う位置まで押し出すようにしたことを特徴とする請求項１〜３いずれか記載のパッケージ接続用受け側接続端子の清掃具。
【発明の詳細な説明】
【技術分野】
【０００１】
本発明は、パッケージが着脱されるホスト機器に用いる清掃具に係り、特に、清掃が確実、簡単にできるパッケージ接続用受け側接続端子の清掃具に関するものである。
【背景技術】
【０００２】
光通信を行うホスト機器には、実際に光ファイバに接続して光通信（狭義には光信号と電気信号との相互変換のみ、広義には低階層のプロトコル処理まで含む）を担当するトランシーバが組み込まれる。トランシーバは、ホスト機器の内部に固定的に組み込まれるのではなく、ホスト機器に窓を設け、この窓にトランシーバを差し込んで使用するようになっている。これにより、トランシーバの故障や多様な通信仕様に対応して適宜トランシーバを交換することができる。
【０００３】
ホスト機器内には、窓から差し込まれたトランシーバを収容するためのケージと呼ばれる片側開口容器を設け、そのケージの奥部に電気的接続用の接続端子（受け側）を設ける。トランシーバは、光送受信に必要な光素子や電子回路を略直方体状のトランシーバ本体に収容し、このトランシーバ本体の一端に電気的接続用の接続端子（挿入側）を設ける。トランシーバを窓からケージ内に差し込めば接続端子同士が電気的に接続されてホスト機器とトランシーバとが互いに情報伝送可能になる。
【０００４】
このトランシーバのように電子回路を内蔵し、自身はホスト機器に組み込めるようにした部材を一般にパッケージと呼ぶ。
【０００５】
図８に、パッケージとケージの構造を示す。ホスト機器の筐体パネル１には、ホスト機器内外（図の右側が外）を通じる窓２が設けられている。ホスト機器内には右側が開口した中空直方体状のケージ３が設けられている。ケージ３はホスト機器内のマザー基板（図示せず）に固定されている。略直方体状のパッケージ４は、ホスト機器外から窓２を通してケージ３に挿入できるようになっている。図では、パッケージ４の先端（図の左側）が少しだけケージ３に挿入したところが示されている。
【０００６】
ケージ３の奥（図の左側）には基板ソケット５が設けられている。基板ソケット５は、後述する挿入側接続端子を備えた基板エッジに対する受け側を構成するもので、基板エッジが挿入されるスリット６の上下面または片面に受け側接続端子７が設けられている。受け側接続端子７はホスト機器内のマザー基板に対し半田付けなどで固定されると共に電気的に接続されている。
【０００７】
パッケージ４の先端には、スリット６に挿入される基板エッジ８が設けられている。基板エッジ８の上下面または片面に挿入側接続端子９が設けられている。基板エッジ８はパッケージ４内の電子回路（図示せず）を搭載した基板を延出したものであり、挿入側接続端子９は配線パターン（図示せず）を介して電子回路に電気的に接続されている。
【０００８】
ケージ３の中腹部にはラッチ部材１０が設けられ、パッケージ４の中腹部にはラッチ受け部１１が形成されている。挿入側接続端子９が受け側接続端子７に確実に接続されるまでパッケージ４がケージ３に挿入されたとき、ラッチ部材１０とラッチ受け部１１とが互いに係合してパッケージ４を保持するようになっている。さらに、パッケージ４にはラッチ解除用部材１２がラッチ受け部１１に添わせて設けられ、このラッチ解除用部材１２の一端はパッケージ４の後端（図の右側）から露出した取っ手１３に繋がっている。ラッチ解除用部材１２はパッケージ４に沿って摺動可能に構成されている。
【０００９】
パッケージ４の挿入及びラッチの動作を図９（ａ）、図９（ｂ）により説明する。図９（ａ）は、図１のパッケージ４をケージ３に挿入した状態を示す。即ち、パッケージ４は後端の一部を除いてケージ３内に収容されている。このとき、基板エッジ８が基板ソケット５に挿入され、受け側接続端子７と挿入側接続端子９との電気的接続が達成されている。そして、このときラッチ部材１０とラッチ受け部１１とが互いに係合してパッケージ４を保持している。
【００１０】
具体的には、図９（ｂ）のように、ラッチ部材１０はケージ３の内方に突き出した板バネ状の部材であり、ラッチ受け部１１はパッケージ４の内方に陥没した穴である。ラッチ部材１０は、図８のようにパッケージ４に干渉していないときには自由にケージ３の内方に突き出しており、パッケージ４がケージ３に侵入してくると、パッケージ４に干渉して押し広げられる。さらにパッケージ４が侵入して図２（ａ）のように電気的接続が達成されたと同時に図９（ｂ）のようにラッチ部材１０がラッチ受け部１１に嵌まり込む。
【００１１】
ラッチ解除用部材１２は、図９（ｂ）のようにパッケージ４の側部に位置しており、取っ手１３を摺動させると、ラッチ部材１０の内側に潜り込ませることができる。これにより、ラッチ部材１０がラッチ受け部１１から脱出し、ラッチが解除され、パッケージ４を抜き取ることができる。
【００１２】
【特許文献１】特開平７−２０３５２号公報
【発明の開示】
【発明が解決しようとする課題】
【００１３】
ホスト機器の接続端子（受け側接続端子７）には、パッケージ４がホスト機器の外に取り出してある間に、ゴミや埃、空中の油分などが付着しやすい。これらの汚れは、電気的接続（接触）の妨げになるので、パッケージ４を挿入する前或いは定期的に接続端子を清掃する必要がある。しかし、従来、このようなホスト機器の奥にある受け側接続端子７を清掃する専用の清掃具がなく、図１０に示されるように、市販の綿棒１４の綿部１５をアルコールに浸し、この綿棒１４をホスト機器の窓２から差し込んで受け側接続端子７の清掃を行っている。
【００１４】
従来の綿棒１４では、綿部１５のサイズが都合よく受け側接続端子７の隙間に一致しないため、受け側接続端子７の隙間に綿部１５が入るとは限らないし、ホスト機器の外から除き込んでも清掃の様子が確認できない。また、綿棒１４の機械的強度が十分でない。また、綿部１５から綿屑が生じた場合、かえって電気的接続の妨げになる。
【００１５】
また、ホスト機器には窓２が多数設けられ、任意の窓２にパッケージ４を挿入して通信ができるが、空きの窓２が残ることもある。このとき窓２が電磁波ノイズの出入り口となるおそれがある。
【００１６】
そこで、本発明の目的は、上記課題を解決し、清掃が確実、簡単にできる電気的接触部の清掃具を提供することにある。
【課題を解決するための手段】
【００１７】
上記目的を達成するために本発明は、細長いパッケージが挿入されるケージの奥に配置された前記パッケージの接続端子（挿入側）を接続する接続端子（受け側）を清掃する清掃具であって、前記パッケージと同形同大の細長い疑似パッケージを構成し、この疑似パッケージの前記挿入側接続端子に相当する先端箇所に前記受け側接続端子に挿入する清掃部材を設けたものである。
【００１８】
前記疑似パッケージに、ケージの中腹部よりケージ内方に突き出した板バネ状のラッチ部材に係合するラッチ受け部と、前記ラッチ部材を押し広げることによりラッチ受け部から脱出させるラッチ解除用部材と、このラッチ解除用部材を操作するためにこの疑似パッケージから露出した取っ手とを設けてもよい。
【００１９】
前記疑似パッケージを金属等の導電性部材で構成してもよい。
【００２０】
前記清掃部材を前記疑似パッケージに対して該疑似パッケージの挿入方向又は該挿入方向に直角な方向に可動な板状部材に取り付けると共に、この板状部材を前記疑似パッケージの外まで延出し、この板状部材に前記清掃部材を前記受け側接続端子内で移動させるための操作用部材を設けてもよい。
【００２１】
前記清掃部材の周囲を覆う筒型形状の囲み部材を前記疑似パッケージ内まで移動可能に設け、この囲み部材が前記受け側接続端子の周囲に干渉して前記疑似パッケージ内に移動すると共に、この囲み部材を前記疑似パッケージの外に押し出すバネ部材を設け、このバネ部材が前記囲み部材を前記清掃部材の周囲を覆う位置まで押し出すようにしてもよい。
【発明の効果】
【００２２】
本発明は次の如き優れた効果を発揮する。
【００２３】
（１）ホスト機器の奥にある受け側接続端子の清掃が確実、簡単にできる。
【発明を実施するための最良の形態】
【００２４】
以下、本発明の一実施形態を添付図面に基づいて詳述する。
【００２５】
図１に示されるように、本発明に係る清掃具１９は、図８のパッケージ４と同形同大の疑似パッケージ１６を構成し、この疑似パッケージ１６の挿入側接続端子９に相当する箇所にケージ３の受け側接続端子７に挿入する清掃部材１７を設けたものである。清掃部材１７は図８の基板エッジ８と同様の厚み・横幅（奥行きは短くてもよい）を有する板状部材１８の先端に形成されている。
【００２６】
疑似パッケージ１６は、金属、導電性材料、プラスチックなどで構成するとよい。金属や導電性材料で構成した疑似パッケージ１６は、ホスト機器の窓からの電磁波漏れを防ぐことができる。プラスチックで構成した疑似パッケージ１６は、軽量、安価という利点がある。
【００２７】
清掃部材１７は、樹脂、布、ブラシなどで構成するとよい。これにより、清掃部材１７にアルコール、界面活性剤などの洗浄剤を浸透させやすい。布を用いる場合、布だけを交換可能にしたり、布を巻き取り式にして受け側接続端子７に触れる部分が常に新しく出てくるようにするとよい。ブラシのように目の大きい部材は、大きいゴミを掃き出すのによい。
【００２８】
清掃部材１７は、表面には前記した樹脂、布、ブラシなどを用い、芯の部分には折れにくいプラスチックを入れてもよい。
【００２９】
ケージ３、基板ソケット５、受け側接続端子７、ラッチ部材１０、ラッチ受け部１１、ラッチ解除用部材１２などについては、図８で説明したものと全く同じであるから、ここでは説明しない。
【００３０】
疑似パッケージ１６は、挿入側接続端子９の代わりに清掃部材１７が設けられていること以外はパッケージ４と外観上の差異はない。内部的には、疑似パッケージ１６にはパッケージ４にあるような電子回路は不要である。
【００３１】
清掃の動作を図２（ａ）、図２（ｂ）により説明する。図２（ａ）は、図１の疑似パッケージ１６をケージ３に挿入した状態を示す。即ち、疑似パッケージ１６は後端の一部を除いてケージ３内に収容されている。このとき、板状部材１８が基板ソケット５に挿入され、受け側接続端子７と清掃部材１７との物理的接触が達成されている。そして、このときラッチ部材１０とラッチ受け部１１とが互いに係合して疑似パッケージ１６を保持している。取っ手１３を摺動させるとラッチ解除用部材１２によりラッチが解除され、疑似パッケージ１６を抜き取ることができる。
【００３２】
疑似パッケージ１６を抜き取る際（差し込む際にも）に、受け側接続端子７と清掃部材１７とが擦り合わされ、受け側接続端子７が清掃される。つまり、通常のパッケージ４を抜き取るのと同じ取り扱いをすれば、そのときに受け側接続端子７が清掃される。従って、例えば、パッケージ４をホスト機器の外に取り出してある間は、パッケージ４の代わりに疑似パッケージ１６を差し込んでおき、パッケージ４を挿入するときに疑似パッケージ１６を抜き取って清掃を行う。これにより、パッケージ４が外されている期間中、受け側接続端子７には汚れが入らず、また、疑似パッケージ１６を抜き取るときに清掃がなされるので、パッケージ４を挿入したとき挿入側接続端子９と受け側接続端子７の良好な接触を図ることができる。
【００３３】
従来のように綿棒では、受け側接続端子７の隅々まで万遍なく清掃することは困難であったが、本実施形態の清掃具１９では、挿入側接続端子９と同寸法の清掃部材１７を有するので、受け側接続端子７の隅々まで万遍なく清掃することができる。
【００３４】
図２（ａ）のように疑似パッケージ１６をケージ３に挿入した状態では窓からケージ３内に汚れが入らないだけでなく、疑似パッケージ１６を金属や導電性材料で構成した場合は、窓からの電磁波漏れを防ぐことができる。
【００３５】
なお、図２（ｂ）には、板状部材１８を疑似パッケージ１６に取り付けるためのネジ２６が実線で示されている。実際には、疑似パッケージ１６の下のほうからネジ２６を使って板状部材１８を固定してある。このように、ネジ止めとすることにより、板状部材１８を簡単に取り替えることができる。
【００３６】
清掃は、疑似パッケージ１６を抜き取る１回の動作だけで済ませるとは限らない。図３に示されるように、疑似パッケージ１６をケージ３に出し入れすることで、いっそうきれいに清掃をすることができる。
【００３７】
図４に示した実施形態では、清掃部材１７を備えた板状部材１８を疑似パッケージ１６の後端の外まで延長し、その板状部材１８に操作用部材２０を取り付けると共に、清掃部材１７を疑似パッケージ１６に対して前後に可動に構成したものである。この清掃具１９では、疑似パッケージ１６をケージ３に挿入してラッチさせておき、その状態で操作用部材２０を操作して板状部材１８を前後に摺動させる。これにより、受け側接続端子７と清掃部材１７とが擦り合わされ、受け側接続端子７が清掃される。
【００３８】
図４の場合、板状部材１８は、疑似パッケージ１６から抜き出して取り外せるようにしてもよい。これにより、交換が可能となり、清掃部材１７が汚れてきたときには板状部材１８を新品と交換することができる。また、板状部材１８を取り出して清掃部材１７に洗浄剤を付けることもできる。
【００３９】
図５（ａ）、図５（ｂ）に示した実施形態では、清掃部材１７の周囲を覆う囲み部材２１を疑似パッケージ１６内まで移動可能に設け、この囲み部材２１が受け側接続端子７の周囲にある基板ソケット５に干渉して疑似パッケージ１６内に移動するようになっている。図示の状態では、囲み部材２１が清掃部材１７を覆う位置から移動して疑似パッケージ１６内に収容されている。疑似パッケージ１６内には、囲み部材２１を押し出すためのバネ部材２２が付勢されて設けられている。
【００４０】
バネ部材２２の一端は囲み部材２１に当接あるいは接合され、バネ部材２２の他端は疑似パッケージ１６の一部である固定部材３０に固定されている。そして、バネ２２の両端間部分は疑似パッケージ１６内に前後に伸ばして形成された図示しない溝に収容されることにより、バネ部材２２は伸縮のみが許容されている。一方、囲み部材２１には、疑似パッケージ１６内に前後に伸ばして形成された溝３１に挿入される突起３２が形成され、この突起３２が溝３１に沿って動くことにより、囲み部材２１が前後に案内される。
【００４１】
疑似パッケージ１６をケージ３から取り出したときには、バネ部材２２の力により囲み部材２１が清掃部材１７を覆う位置に押し出されるので、清掃部材１７が汚れから保護される。疑似パッケージ１６をケージ３に差し込むときには、囲み部材２１が基板ソケット５に干渉して疑似パッケージ１６内に収容され、清掃部材１７が受け側接続端子７の間隙に挿入される。
【００４２】
図６（ａ）、図６（ｂ）に示した実施形態では、清掃部材１７は疑似パッケージ１６の横幅より十分横幅の細い板状部材２３に取り付けられている。板状部材２３は疑似パッケージ１６の後端の外まで延長され、その板状部材２３に操作用部材２４が取り付けられている。板状部材２３は疑似パッケージ１６内にピン２５で枢支されており、操作用部材２４を横方向に振り動かすと、清掃部材１７は逆方向に振り動き、受け側接続端子７と擦り合わされる。
【００４３】
図７（ａ）、図７（ｂ）に示した実施形態では、ラッチ受け部１１、ラッチ解除用部材１２がなく、疑似パッケージ１６はラッチしないで使用する。この疑似パッケージ１６をケージ３に出し入れすることで、受け側接続端子７の清掃をすることができる。
【００４４】
図１１（ａ）〜（ｃ）に示した疑似パッケージ１６は、図２、図３のものとほぼ同じのものである。この実施形態では、疑似パッケージ１６はケージ３の底部（ホスト機器内のマザー基板）に沿わせる底板１１１とこの底板１１１の両側に立てた側板１１２とを少なくとも有することにより、パッケージと同じ外観形状を有し、中は中空である。側板１１２には疑似パッケージ１６の挿入方向（長手方向）に伸びたスライド溝１１３が形成されており、このスライド溝１１３内にラッチ解除用部材１２が摺動自在に収容されている。ラッチ解除用部材１２はクランク１１４を介して取っ手１３に連結されている。図示した状態では、スライド溝１１３とラッチ解除用部材１２との間に奥行き方向の隙間があり、この隙間がラッチ受け部１１を形成している。このラッチ受け部１１にラッチ部材１０が嵌り込んでいるため、疑似パッケージ１６はロックされてケージ３から抜き取ることはできない。
【００４５】
底板１１１には、ネジ止めにより板状部材１８が固定されている。この板状部材１８に清掃部材１７が設けられている。清掃部材１７はケージ３の底部に位置する基板ソケット５に挿入されている。
【００４６】
ここで、取っ手１３を倒していくと、クランク１１４の働きによりラッチ解除用部材１２がスライド溝１１３の奥の方へ進出する。その際、ラッチ解除用部材１２がラッチ部材１０を外へ押し広げていく。ラッチ部材１０がラッチ受け部１１から外れると、疑似パッケージ１６はロックが解除されてケージ３から抜き取り可能になる。
【００４７】
図１２（ａ）〜（ｃ）に示されるように、疑似パッケージ１６をケージ３から抜き出していくと、ラッチ部材１０の位置には側板１１２が移動してくるので、依然としてラッチ部材１０がケージ３から内側に出ることがなく、継続して引き抜きが可能である。一方、疑似パッケージ１６に固定されている板状部材１８は基板ソケット５から離脱する方向に移動し、清掃部材１７は受け側接続端子７から外れる。
【００４８】
図１３（ａ）〜（ｃ）に示した疑似パッケージ１６は、図４のものとほぼ同じのものである。この疑似パッケージ１６はケージ３の底部に沿わせる底板１１１とこの底板１１１の両側に立てた側板１１２とを少なくとも有することにより、パッケージと同じ外観形状を有し、中は中空である。側板１１２にはスライド溝１１３が形成されており、このスライド溝１１３内にラッチ解除用部材１２が摺動自在に収容されている。ラッチ解除用部材１２はクランク１１４を介して取っ手１３に連結されている。
【００４９】
一方、清掃部材１７を備えた板状部材１８は、疑似パッケージ１６の外まで延長されている。板状部材１８には、操作用部材２０が取り付けられている。また、板状部材１８には、板状部材１８の長手方向に伸びた長穴が形成されており、この長穴にネジを通して緩く締めることで、板状部材１８が長手方向に移動可能となっている。
【００５０】
ロックの動作及びロック解除の動作は図１１、図１２で説明したのと同じである。しかし、この形態ではロックを解除しないで清掃が可能である。すなわち、
図１４（ａ）〜（ｃ）に示されるように、疑似パッケージ１６をケージ３に挿入してラッチさせたままで、操作用部材２０を操作して板状部材１８を出し入れすると、図１４と図１３の状態が交番して受け側接続端子７と清掃部材１７とが擦り合わされ、受け側接続端子７が清掃される。
【００５１】
図１５（ａ）〜（ｃ）に示した疑似パッケージ１６は、図７の実施形態と同様に、ラッチ用の部材がなく、ラッチしないで使用するものである。この疑似パッケージ１６は、ケージ３の底部に沿わせる底板１１１とこの底板１１１の両側に立てた側板１１２とを少なくとも有することにより、パッケージと同じ外観形状を有し、中は中空である。底板１１１には、ネジ止めにより板状部材１８が固定されている。この板状部材１８に清掃部材１７が設けられている。清掃部材１７はケージ３の底部に位置する基板ソケット５に挿入されている。
【００５２】
また、この疑似パッケージ１６は、図５に示した実施形態と同様に、清掃部材１７の周囲を覆う囲み部材２１を移動可能に設け、この囲み部材２１が基板ソケット５に干渉して移動すると共に、この干渉がないときにはバネ部材２２の力により囲み部材２１が清掃部材１７を覆う位置に押し出されるようになっている。
【００５３】
図示した状態では、清掃部材１７が基板ソケット５に挿入され、囲み部材２１が基板ソケット５に接しており、バネ部材２２は圧縮されている。
【００５４】
図１６（ａ）〜（ｃ）に示されるように、疑似パッケージ１６をケージ３から抜き出していくと、清掃部材１７が基板ソケット５から出てくる。しかし、囲み部材２１はバネ部材２２が復元する力によって基板ソケット５の方向へ押されているので、基板ソケット５に接した状態を維持する。このため、囲み部材２１は板状部材１８に対して相対的に移動し、清掃部材１７を覆う位置に来る。
【００５５】
このまま疑似パッケージ１６をケージ３の外へ取り出すと、囲み部材２１が清掃部材１７を覆った状態で疑似パッケージ１６を取り出すことができる。
【図面の簡単な説明】
【００５６】
【図１】本発明の一実施形態を示す清掃具の側断面図である。
【図２】図１の清掃具のケージ挿入時の（ａ）側断面図、（ｂ）平断面図である。
【図３】本発明の一実施形態を示す清掃具のケージ挿入時の側断面図である。の側断面図である。
【図４】本発明の一実施形態を示す清掃具のケージ挿入時の側断面図である。
【図５】本発明の一実施形態を示す清掃具のケージ挿入時の（ａ）側断面図、（ｂ）平断面図である。
【図６】本発明の一実施形態を示す清掃具のケージ挿入時の（ａ）側断面図、（ｂ）平断面図である。
【図７】本発明の一実施形態を示す清掃具のケージ挿入時の（ａ）側断面図、（ｂ）平断面図である。
【図８】パッケージ及びケージの側断面図である。
【図９】パッケージをケージに挿入したときの側断面図である。
【図１０】従来の清掃方法を示すケージの側断面図である。
【図１１】本発明の一実施形態を示す清掃具のケージ挿入時の（ａ）側板部分の側断面図、（ｂ）中空部分の側断面図、（ｃ）平断面図である。
【図１２】図１１の清掃具の引き出し時の（ａ）側板部分の側断面図、（ｂ）中空部分の側断面図、（ｃ）平断面図である。
【図１３】本発明の一実施形態を示す清掃具のケージ挿入時の（ａ）側板部分の側断面図、（ｂ）中空部分の側断面図、（ｃ）平断面図である。
【図１４】図１３の清掃具の清掃時の（ａ）側板部分の側断面図、（ｂ）中空部分の側断面図、（ｃ）平断面図である。
【図１５】本発明の一実施形態を示す清掃具のケージ挿入時の（ａ）側板部分の側断面図、（ｂ）中空部分の側断面図、（ｃ）平断面図である。
【図１６】図１５の清掃具の引き出し時の（ａ）側板部分の側断面図、（ｂ）中空部分の側断面図、（ｃ）平断面図である。
【符号の説明】
【００５７】
１  ホスト機器の筐体パネル
２  窓
３  ケージ
４  パッケージ
５  基板ソケット
６  スリット
７  受け側接続端子
８  基板エッジ
９  挿入側接続端子
１６  疑似パッケージ
１７  清掃部材
１８  板状部材
１９  清掃具
【図１】
2005302511.tif 000003
【図２】
2005302511.tif 000004
【図３】
2005302511.tif 000005
【図４】
2005302511.tif 000006
【図５】
2005302511.tif 000007
【図６】
2005302511.tif 000008
【図７】
2005302511.tif 000009
【図８】
2005302511.tif 000010
【図９】
2005302511.tif 000011
【図１０】
2005302511.tif 000012
【図１１】
2005302511.tif 000013
【図１２】
2005302511.tif 000014
【図１３】
2005302511.tif 000015
【図１４】
2005302511.tif 000016
【図１５】
2005302511.tif 000017
【図１６】
2005302511.tif 000018